(57)【要約】【課題】テレビジョン放送視聴用のテレビ受像機を監視モニタとして使用可能とするとともに、テレビ受像機で留守中の訪問者等について通知できるようにする。【解決手段】テレビ受像機１の電源が切られている間に、カメラ３０による撮影画像が映像記録装置４０に記録されている場合には、その後、ユーザによってテレビ受像機１の電源が投入された際に、当該記録があったことを示す通知信号を、テレビ受像機１と映像記録装置４０との間で授受する。電源投入により当該通知信号を受信したテレビ受像機１は、電源が切られている間に来訪者があって、カメラ３０による撮影画像が記録されていることを示す通知表示を行う。【選択図】図１
2008283575.tif 000002
【特許請求の範囲】
【請求項１】
撮像装置と、テレビ受像機とを備えた監視システムであって、
前記テレビ受像機は、前記撮像装置による撮影画像が映像記録手段で記録されていることを、所定のタイミングで通知表示することを特徴とする監視システム。
【請求項２】
前記テレビ受像機は、電源投入を検出する検出手段を備え、前記検出手段により電源投入が検出されたときに前記通知表示を行うことを特徴とする請求項１に記載の監視システム。
【請求項３】
前記映像記録手段は、前記テレビ受像機の外部機器として設けられた映像記録装置であって、
前記映像記録装置は、前記撮像装置による撮影画像を記録したことの通知信号を送信し、
前記テレビ受像機は、前記映像記録装置から前記通知信号を受信した場合に前記通知表示を行うことを特徴とする請求項１又は２に記載の監視システム。
【請求項４】
来訪者が押下する呼び出しスイッチを備え、
前記映像記録手段は、前記呼び出しスイッチが押下されたとき、前記撮像装置による撮影画像の記録を開始することを特徴とする請求項１〜３のいずれか１項に記載の監視システム。
【請求項５】
前記撮像装置は、動体を検出する動体検出手段を備え、
前記映像記録手段は、前記動体検出手段により動体が検出されたとき、前記撮像装置による撮影画像の記録を開始することを特徴とする請求項１〜３のいずれか１項に記載の監視システム。
【請求項６】
扉又は窓の施錠状態を検出する施錠センサを備えたことを特徴とする請求項１〜５のいずれか１項に記載の監視システム。
【請求項７】
前記施錠センサにより施錠が解除されたことが検出されたとき、前記テレビ受像機の電源が自動的に投入されることを特徴とする請求項６に記載の監視システム。
【請求項８】
前記テレビ受像機は、前記施錠センサにより施錠されたことが検出された後、前記所定のタイミングまでの間で前記撮像装置による撮影画像が前記映像記録手段で記録されている場合に、前記通知表示を行うことを特徴とする請求項６又は７に記載の監視システム。
【請求項９】
前記テレビ受像機は、ユーザが不在になることを示す不在モード設定手段を備え、前記不在モードにより不在モードが設定された後、前記所定のタイミングまでの間で前記撮像装置による撮影画像が前記映像記録手段で記録されている場合に、前記通知表示を行うことを特徴とする請求項１〜７のいずれか１項に記載の監視システム。
【請求項１０】
撮像装置による撮影画像が映像記録手段で記録されていることを、所定のタイミングで通知表示する制御手段を備えたことを特徴とするテレビ受像機。
【請求項１１】
撮像装置と、テレビ受像機とを備えた監視システムにおいて、前記撮像装置による撮影画像が映像記録手段で記録されていることを、所定のタイミングで前記テレビ受像機に通知表示させることを特徴とする監視システムの制御方法。
【請求項１２】
テレビ受像機を制御するためのプログラムであって、
撮像装置による撮影画像が映像記録手段で記録されていることを、所定のタイミングで通知表示する処理をコンピュータに実行させるためのプログラム。
【発明の詳細な説明】
【技術分野】
【０００１】
本発明は、監視システム及びその制御方法、監視システムに用いられるテレビ受像機、プログラムに関する。
【背景技術】
【０００２】
従来から監視カメラを用いた監視システムが提案されており、その多くは監視カメラの映像を専用の監視モニタに表示するものであった。しかしながら、専用の監視モニタを設置するには、専用の設置スペースが必要となるため、一般の住居や住居に併設されているような店舗等においては専用の監視モニタを設置するのが困難な場合があった。
【０００３】
このような問題を解決するために、例えば特許文献１、２にはテレビモニタやテレビジョン放送視聴用のテレビ受像機を監視モニタとして使用する提案がなされている。
【０００４】
特許文献１には、監視カメラやドアカメラからの映像を、所謂ピクチャインピクチャ（以下、ＰｉｎＰと称する）としてテレビモニタの画面に挿入して表示することが開示されている。また、特許文献１には、監視カメラやドアカメラで取得された音声信号を受信したときに、テレビモニタの電源が入っていない場合、その電源を立ち上げることが開示されている。
【０００５】
特許文献２には、監視対象物センサが被監視区域内に監視対象が存在することを検出した場合に、テレビ受像機の画面を監視カメラからの映像信号を入力する外部入力に切り替えることが開示されている。
【０００６】
【特許文献１】特開２０００−４１２３９号公報
【特許文献２】特開２００２−１３５７６１号公報
【発明の開示】
【発明が解決しようとする課題】
【０００７】
しかしながら、上記従来例においては、監視する要員がテレビモニタやテレビ受像機を視聴していることが前提となっており、例えば留守中の訪問者について通知することはできない。
【０００８】
本発明は、上記問題点を解決するためになされたものであり、テレビジョン放送視聴用のテレビ受像機を監視モニタとして使用可能とするとともに、テレビ受像機で留守中の訪問者等について通知できるようにすることを目的とする。
【課題を解決するための手段】
【０００９】
本発明の監視システムは、撮像装置と、テレビ受像機とを備えた監視システムであって、前記テレビ受像機は、前記撮像装置による撮影画像が映像記録手段で記録されていることを、所定のタイミングで通知表示することを特徴とする。
本発明のテレビ受像機は、撮像装置による撮影画像が映像記録手段で記録されていることを、所定のタイミングで通知表示する制御手段を備えたことを特徴とする。
本発明の監視システムの制御方法は、撮像装置と、テレビ受像機とを備えた監視システムにおいて、前記撮像装置による撮影画像が映像記録手段で記録されていることを、所定のタイミングで前記テレビ受像機に通知表示させることを特徴とする。
本発明のプログラムは、テレビ受像機を制御するためのプログラムであって、撮像装置による撮影画像が映像記録手段で記録されていることを、所定のタイミングで通知表示する処理をコンピュータに実行させることを特徴とする。
【発明の効果】
【００１０】
本発明によれば、テレビジョン放送視聴用のテレビ受像機を監視モニタとして使用可能とするとともに、テレビ受像機で留守中の訪問者等について通知することができる。
【発明を実施するための最良の形態】
【００１１】
以下、添付図面を参照して、本発明の好適な実施形態について説明する。
（第１の実施形態）
図１は、第１の実施形態に係る監視システムの構成を示す図である。１はテレビ受像機、３０は撮像装置であるカメラ、３１はインターフォンの呼び出しスイッチ（以下、「呼び出しＳＷ」と称する）、４０は映像記録装置である。
【００１２】
テレビ受像機１において、２はチューナである。３はデマルチプレクサ（以下、「ＤＥＭＵＸ」と称する）である。４はデコーダである。５は映像処理部である。６は合成部である。７は映像出力部である。８は液晶パネルやＣＲＴ等の表示部である。９は音声処理部である。１０は音声出力部である。１１はスピーカである。１２は赤外線リモコンである。１３はリモコン受光部である。１４はＯＳＤ表示部である。２０は第１の中央演算処理装置（以下、「ＣＰＵ」と称する）であり、本発明でいう制御手段として機能する。２２は第１のデジタルインタフェイス部（以下、「ＤＩＦ」と称する）である。
【００１３】
映像記録装置４０において、４１は映像入力部である。４２は映像記録部である。４３は第２のＣＰＵである。４４は第２のＤＩＦである。本実施形態では、映像記録装置４０が本発明でいう映像記録手段として機能する。
【００１４】
次に、本実施形態に係る監視システムでの動作を説明する。テレビ受像機１において、デジタル放送等の放送波は不図示のアンテナを通してチューナ２に送られ、高周波処理、及び、復調が行われる。チューナ２からの出力はＤＥＭＵＸ３に送られ、パケット復号が行われる。ＤＥＭＵＸ３において、パケットはＭＰＥＧデータと番組案内等の付属情報とに分離される。ＤＥＭＵＸ３によって分離されたＭＰＥＧデータは、デコーダ４に送られる。また、ＤＥＭＵＸ３によって分離された付属情報は、第１のＣＰＵ２０に送られる。
【００１５】
また、赤外線リモコン１２からはユーザの操作に応じてリモコン信号がリモコン受光部１３を介して第１のＣＰＵ２０に入力される。
【００１６】
第１のＣＰＵ２０は、チューナ２及びＤＥＭＵＸ３に選局のための情報を送信する。また、第１のＣＰＵ２０は、電子番組表（ＥＰＧ）やグラフィカルユーザインタフェイス（以下、「ＧＵＩ」と称する）を制御するためのＯＳＤ制御情報をＯＳＤ表示部１４に出力する。ＯＳＤ表示部１４は、番組ガイド等を表示させるための各種表示データを生成して、ＯＳＤ信号として合成部６に送る。
【００１７】
デコーダ４は、ＤＥＭＵＸ３から出力されるＭＰＥＧデータを復調する。デコーダ４から出力される映像信号は、映像処理部５を介して合成部６に出力される。合成部６は、映像処理部５及びＯＳＤ表示部１４の出力表示データをスーパーインポーズして、映像出力部７に送る。映像出力部７から出力される映像信号は表示部８で表示される。
【００１８】
また、デコーダ４から出力される音声信号は、音声処理部９及び音声出力部１０を介してスピーカ１１で出力される。
【００１９】
カメラ３０が撮影する画像は、映像記録装置４０を介してテレビ受像機１にも入力される。第１のＤＩＦ２２、及び、第２のＤＩＦ４４は、例えばＩＥＥＥ１３９４規格に準拠したデジタルインタフェイスである。当該ＤＩＦにおいては、コマンド授受、及び、動画転送を同時に行うことが可能である。動画像信号は、例えばＩＥＥＥ１３９４のアイソクロナス（Isochronous）通信を用いて転送される。カメラ３０による撮影画像は、例えばＤＶ規格に準拠したフォーマットで映像記録装置４０に入力され記録される。上記構成により、ユーザは、カメラ３０が撮影動作を行っている際に、テレビ受像機１を用いて撮影画像を視聴することが可能となっている。
【００２０】
カメラ３０は、例えば家屋の玄関等に設置されるインターフォン等とともに設置される。また、呼び出しＳＷ３１は、インターフォンの呼び出しスイッチと兼用される。来訪者が呼び出しＳＷ３１を押下すると、当該押下を示す信号が映像記録装置４０に伝達される。当該信号に基づき、カメラ３０は撮影動作を開始するとともに、映像記録装置４０の第２のＣＰＵ４３は、映像記録部４２にカメラ３０による撮影画像を不図示の記録媒体に記録させるよう制御する。
【００２１】
上記の記録動作がなされると、第２のＣＰＵ４３は、当該記録があったことを示す通知信号を、第２のＤＩＦ４４を介してテレビ受像機１に送信する。テレビ受像機１は、第１のＤＩＦ２２を介して当該通知信号を内部に取り込み、第１のＣＰＵ２０により、来訪者があって映像記録装置４０にカメラ３０による撮影画像が記録されたことを検出する。
【００２２】
例えば本実施形態では、テレビ受像機１の電源が切られている間に、上述したカメラ３０による撮影画像が映像記録装置４０に記録されている場合には、その後、所定のタイミング、本実施形態ではユーザによってテレビ受像機１の電源が投入された際に、上記のごとき当該記録があったことを示す通知信号を、テレビ受像機１と映像記録装置４０との間で授受する。電源投入により当該通知信号を受信したテレビ受像機１は、電源が切られている間に来訪者があって、カメラ３０による撮影画像が記録されていることを示す通知表示を行う（図３を参照）。
【００２３】
図２は、本実施形態のテレビ受像機１の電源投入時における動作を示すフローチャートである。テレビ受像機１の電源が投入されると、カメラ３０による撮影画像の録画有無をチェックするよう動作する。もし、ユーザが不在の間（テレビ受像機１の電源が切られている間）に、撮影画像が記録されているときは、テレビ画面上に撮影映像が録画されていることを示す表示を行う。一方、ユーザが不在の間（テレビ受像機１の電源が切られている間）に、撮影画像が記録されていない場合は、何もせずに通常のテレビ動作に移る。
【００２４】
図２に示すように、ステップＳ１で本動作が開始される。次のステップＳ２で、ユーザによって電源が投入されたことを検出する（本発明の電源投入を検出する検出手段による処理例）。次のステップＳ３では、カメラ３０による撮影画像の録画の有無を判定する。もし、テレビ受像機１の電源が切られている間に撮影画像が記録されている場合、テレビ受像機１は、次のステップＳ４で、録画がなされている旨の表示を行う。撮影画像が記録されていない場合、テレビ受像機１は、直接ステップＳ５に進み、本動作を終了する。
【００２５】
図３は、本実施形態のテレビ受像機１の外観を示す図である。図３において、１０１は電源スイッチである。１０２は発光ダイオード（以下、「ＬＥＤ」と称する）等の発光素子を用いた電源状態表示部である。１０３はＬＥＤ等の発光素子を用いた録画有無表示部である。１０４はテレビの映像やＯＳＤを表示するための表示部であり、表示部８に相当する。
【００２６】
本実施形態のテレビ受像機１は、電源スイッチ１０１、又は、赤外線リモコン１２の電源ボタンの押下により、電源が投入される。電源状態表示部１０２は、テレビ受像機１の電源が投入されると点灯する。本実施形態において、例えばテレビ受像機１の電源が切られている間にカメラ３０による撮影画像が記録されている場合には、該テレビ受像機１の電源が投入されると、録画有無表示部１０３の発光素子の点滅を開始させる。また、表示部１０４に、カメラ３０による撮影画像が記録されていることを示す表示を、受信している放送波の画像やケーブル放送の画像の上にオーバーレイして表示する。すなわち、本実施形態では、録画有無表示部１０３及び表示部１０４にて通知表示を行っている。
【００２７】
以上の動作により、本実施形態においては、テレビジョン放送視聴用のテレビ受像機１を監視モニタとして使用することが可能となる。また、留守中の訪問者があった場合に、テレビ受像機１で留守中の訪問者等について通知することができる。
【００２８】
なお、本実施形態の第１のＤＩＦ２２、及び、第２のＤＩＦ４４はＩＥＥＥ１３９４規格に準拠するとしたが、例えば、ＵＳＢ、ＩＥＥＥ８０２.３等、他のデジタルインタフェイス規格であってもよい。ＵＳＢ等を用いた場合には、動画像信号は、例えばアイソクロナス通信を用いて転送され、ＩＥＥＥ８０２.３等アイソクロナス通信を有しないデジタルインタフェイスの場合には、動画像信号は、例えばフレームデータやパケットデータの形で転送される。
【００２９】
また、本実施形態では、動画像信号の転送フォーマットはＤＶ規格で転送されるとしている。それ以外にも、例えば、ＭＰＥＧ１、ＭＰＥＧ２-ＴＳ、ＭＰＥＧ２-ＰＳ、ＭＰＥＧ４等のＭＰＥＧ規格や、モーションＪＰＥＧ、モーションＪＰＥＧ２０００等、他の規格を用いて転送されてもよいことは言うまでもない。
【００３０】
さらに、本実施形態では、テレビ受像機１の電源投入時に通知信号の授受を行って録画の有無を検出するようにしているが、他のタイミングで当該通知信号の授受を行うようにしてもよい。例えば、テレビ受像機１の電源が切られている間も、スタンバイ状態として第１のＤＩＦ２２、及び、第１のＣＰＵ２０の機能の一部、又は、全部を動作可能な状態としておく。この状態で、カメラ３０による撮影画像が記録されたことを示す通知信号を受信した場合には、第１のＣＰＵ２０は当該通知信号の受信を記憶しておく。その後、該テレビ受像機１の電源が投入されると、録画有無表示部１０３の発光素子の点滅を開始させる。また、表示部１０４に、カメラ３０による撮影画像が記録されていることを示す表示を、受信している放送波の画像やケーブル放送の画像の上にオーバーレイして表示する。
【００３１】
（第２の実施形態）
上記第１の実施形態では、テレビ受像機１の外部機器として映像記録装置４０が設けられている例を説明したが、テレビ受像機に映像記録手段が内蔵されていてもよい。
【００３２】
また、上記第１の実施形態では、テレビ受像機１の電源が切られている間にカメラ３０による撮影画像が記録されている場合に通知表示を行うようにしているが、他の期間にカメラ３０による撮影画像が記録されている場合に通知表示を行うように構成してもよい。
【００３３】
例えばユーザが不在になることをテレビ受像機１に明示的に指示している期間であってもよい。図４は、ユーザが不在になることを明示的にテレビ受像機１に指示するためのメニュー画面である。テレビ受像機１は、図４に示すメニューにおいて「不在モード」が選択、設定された後、次の電源投入までの間に、カメラ３０による撮影画像が記録されている場合に上述したような通知表示を行う。すなわち、図３に示すように、テレビ受像機１は、ユーザによってテレビ受像機１の電源が投入されると、録画有無表示部１０３の発光素子の点滅を開始させる。また、表示部１０４に、カメラ３０による撮影画像が記録されていることを示す表示を、受信している放送波の画像やケーブル放送の画像の上にオーバーレイして表示する。なお、図４に示すメニューにおいて「不在モード」が選択、設定され、かつ、テレビ受像機１の電源が切られた後、次の電源投入までの間に、カメラ３０による撮影画像が記録されている場合に通知表示を行うように構成してもよい。
【００３４】
その他にも、例えば施錠センサによって施錠されたことが検出されて始まる期間であってもよい。扉や窓等の施錠状態を検出する施錠センサを設置しておき、施錠されたことが検出されると、その検出結果をテレビ受像機１に出力する。テレビ受像機１は、施錠された旨の検出結果を受けた後、次の電源投入までの間に、カメラ３０による撮影画像が記録されている場合に上述したような通知表示を行う。すなわち、図３に示すように、テレビ受像機１は、ユーザによってテレビ受像機１の電源が投入されると、録画有無表示部１０３の発光素子の点滅を開始させる。また、表示部１０４に、カメラ３０による撮影画像が記録されていることを示す表示を、受信している放送波の画像やケーブル放送の画像の上にオーバーレイして表示する。
【００３５】
さらに、上記第１の実施形態では、カメラ３０による撮影画像を記録するための録画トリガーを、インターフォンの呼び出しＳＷ３１の押下に設定したが、当該録画トリガーは他の指示手段でもよい。例えばカメラ３０が動体検出を行い、撮影画像の画角に動体が入ったことを検出したことを録画トリガーとして記録を開始するように構成してもよい。動体検出は、撮影画像の画像処理結果に基づき行う構成や、カメラ３０に対人センサ等の動体を検出するためのセンサを装備して行う構成でもよい（動体検出手段）。
【００３６】
以上の点を含む第２の実施形態について説明する。図５は、第２の実施形態に係る監視システムの構成を示す図である。２０１は録画機能を有するテレビ受像機、２３０は撮像装置であるカメラ、２３１はインターフォンの呼び出しＳＷ、２３２は扉や窓等に設置され、施錠状態を検出する施錠センサである。
【００３７】
テレビ受像機２０１において、２０２はチューナである。２０３はＤＥＭＵＸである。２０４はデコーダである。２０５は映像処理部である。２０６は合成部である。２０７は映像出力部である。２０８は液晶パネルやＣＲＴ等の表示部である。２０９は音声処理部である。２１０は音声出力部である。２１１はスピーカである。２１２は赤外線リモコンである。２１３はリモコン受光部である。２１４はＯＳＤ表示部である。２２０はＣＰＵであり、本発明でいう制御手段として機能する。２４１は映像入力部である。２４２は映像記録部である。２５１はセレクタであり、映像出力部２０７からの出力と映像入力部２４１からの出力とを切り替える。
【００３８】
カメラ２３０において、２６１は動体を検出する動体センサである。動体センサには、遮光型センサや反射型センサ等、従来の光学的なセンサを用いることができる。
【００３９】
次に、本実施形態に係る監視システムでの動作を説明する。テレビ受像機２０１において、デジタル放送等の放送波は不図示のアンテナを通してチューナ２０２に送られ、高周波処理、及び、復調が行われる。チューナ２０２からの出力はＤＥＭＵＸ２０３に送られ、パケット復号が行われる。ＤＥＭＵＸ２０３において、パケットはＭＰＥＧデータと番組案内等の付属情報とに分離される。ＤＥＭＵＸ２０３によって分離されたＭＰＥＧデータは、デコーダ２０４に送られる。また、ＤＥＭＵＸ２０３によって分離された付属情報は、ＣＰＵ２２０に送られる。
【００４０】
また、赤外線リモコン２１２からはユーザの操作に応じてリモコン信号がリモコン受光部２１３を介してＣＰＵ２２０に入力される。
【００４１】
ＣＰＵ２２０は、チューナ２０２及びＤＥＭＵＸ２０３に選局のための情報を送信する。また、ＣＰＵ２２０は、電子番組表（ＥＰＧ）やＧＵＩを制御するためのＯＳＤ制御情報をＯＳＤ表示部２１４に出力する。ＯＳＤ表示部２１４は、番組ガイド等を表示させるための各種表示データを生成して、ＯＳＤ信号として合成部２０６に送る。
【００４２】
デコーダ２０４は、ＤＥＭＵＸ２０３から出力されるＭＰＥＧデータを復調する。デコーダ２０４から出力される映像信号は、映像処理部２０５を介して合成部２０６に出力される。合成部２０６は、映像処理部２０５及びＯＳＤ表示部２１４の出力表示データをスーパーインポーズして、映像出力部２０７に送る。映像出力部２０７から出力された映像信号は表示部２０８で表示される。
【００４３】
また、デコーダ２０４によって出力される音声信号は、音声処理部２０９及び音声出力部２１０を介してスピーカ２１１に出力される。
【００４４】
カメラ２３０が撮影する画像は、映像入力部２４１を介してテレビ受像機２０１に入力される。カメラ２３０による撮影画像は、例えばＤＶ規格に準拠したフォーマットで映像記録部２４２に入力され、不図示の記録媒体に記録される。上記構成により、ユーザは、カメラ２３０が撮影動作を行っている際に、テレビ受像機２０１を用いて撮影映像を視聴することが可能となっている。
【００４５】
また、ＣＰＵ２２０は、セレクタ２５１の入力端子を、放送波やケーブルテレビ等の映像を出力する映像出力部２０７の出力と、映像入力部２４１の出力とに切り替えることにより、映像記録部２４２において記録する画像の選択が可能になっている。
【００４６】
図６は、本実施形態のテレビ受像機２０１の動作を示すフローチャートである。ステップＳ２１で本動作が開始される。次のステップＳ２２で、ユーザの不在が検出されるとともに、不在モードを示す内部変数ｆｌｇに値０が代入される。不在モードは、上述したようにテレビ受像機２０１のＧＵＩメニューから選択される、或いは、施錠センサ２３２によって施錠されたことを検出した場合に設定される。
【００４７】
次のステップＳ２３では、カメラ２３０による撮影画像の録画トリガーを検出する。例えばカメラ２３０に装備されている対人センサや動体センサ等の外部センサにより、来訪者又は侵入者を検出して当該録画トリガーを検出する。或いは、カメラ２３０による撮影画像から画像処理により動体検出を行い、動体がカメラ画角に入ったらことを検出して録画トリガーを検出する。ステップＳ２３で録画トリガーが検出されると、次のステップＳ２４で録画が開始されるとともに、内部変数ｆｌｇの値を増加させる。
【００４８】
次のステップＳ２５では、ユーザによって電源が投入されるまで待機する。この検出は、簡易的に、ユーザが帰宅後にテレビ電源がＯＮされたかどうかの検出となっている。また、ステップＳ２３からステップＳ２５はループを構成している。これにより、テレビ受像機２０１が不在モードに入ってから、次に電源が投入されるまでの間に録画トリガーが検出されると、検出された録画トリガーに相当するカメラ２３０による撮影画像は全て録画することが可能になっている。
【００４９】
次のステップＳ２６では、内部変数ｆｌｇの値をチェックする。ステップＳ２６でｆｌｇの値が０でなければ、不在モード中にカメラ２３０による撮影画像が記録されているので、ステップＳ２７でその旨をテレビ画面に表示する。内部変数ｆｌｇ値が０であれば、ステップＳ２７をスキップし、通知を行わないで次のステップに移行する。
【００５０】
次のステップＳ２８では、不在モードを解除して自動的に通常モードに移行し、次のステップＳ２９で本動作を終了する。
【００５１】
以上の動作により、本実施形態においては、テレビジョン放送視聴用のテレビ受像機２０１を監視モニタとして使用することが可能となる。また、留守中の訪問者があった場合や侵入者があった場合に、その撮影画像が録画されるとともに、テレビ受像機２０１に当該録画があったことを示す通知表示を行わせることが可能である。
【００５２】
なお、第１の実施形態で述べた呼び出しＳＷによる録画トリガーと、動体検出や施錠センサによる録画トリガーとの間で、表示の方法を変えるように構成してもよい。例えば、呼び出しＳＷによる録画トリガーの場合には、図３における録画有無表示部１０３を緑色の発光点滅させ、動体検出や施錠センサによる録画トリガーの場合には、録画有無表示部１０３を赤色の発光点滅させるように構成してもよい。
【００５３】
または、呼び出しＳＷによる録画トリガーの場合には、録画有無表示部１０３の単位時間あたりの点滅回数を、動体検出や施錠センサによる録画トリガーの場合よりも遅く設定してもよい。この場合には、通常の訪問ルートである訪問者とそれ以外の場合とを容易に識別可能になる効果がある。
【００５４】
また、上記の施錠センサを用いた場合においては、当該施錠センサが施錠を解除したこと検出したときに、テレビ受像機２０１の電源を自動的に投入して、映像、及び、音声を発声させるよう構成してもよい。この場合には、不正に施錠を解除したり、鍵を破壊したりする侵入者に対して、ユーザが在宅しているかのように錯誤させてその犯行を防止することが考えられ、都合がよい。
【００５５】
なお、本発明の目的は、上述した実施形態の機能を実現するソフトウェアのプログラムコードを記録した記憶媒体を、システム或いは装置に供給することによっても達成される。この場合、そのシステム或いは装置のコンピュータ（又はＣＰＵやＭＰＵ）が記憶媒体に格納されたプログラムコードを読み出し実行する。
【００５６】
この場合、記憶媒体から読み出されたプログラムコード自体が上述した実施形態の機能を実現することになり、プログラムコード自体及びそのプログラムコードを記憶した記憶媒体は本発明を構成することになる。
【００５７】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５８】
また、コンピュータが読み出したプログラムコードを実行することにより、上述した実施形態の機能が実現されるだけに限らない。例えば、そのプログラムコードの指示に基づき、コンピュータ上で稼動しているＯＳ（基本システム或いはオペレーティングシステム）等が実際の処理の一部又は全部を行い、その処理によって上述した実施形態の機能が実現されてもよい。
【００５９】
さらに、記憶媒体から読み出されたプログラムコードが、コンピュータに挿入された機能拡張ボードやコンピュータに接続された機能拡張ユニットに備わるメモリに書き込まれる形態でもよい。この場合メモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される。
【図面の簡単な説明】
【００６０】
【図１】第１の実施形態に係る監視システムの構成を示す図である。
【図２】第１の実施形態のテレビ受像機の電源投入時における動作を示すフローチャートである。
【図３】第１の実施形態のテレビ受像機の外観を示す図である。
【図４】ユーザが不在にすることを明示的にテレビ受像機に指示するためのメニュー画面の一例を示す図である
【図５】第２の実施形態に係る監視システムの構成を示す図である。
【図６】第２の実施形態のテレビ受像機の動作を示すフローチャートである。
【符号の説明】
【００６１】
１、２０１    デジタルテレビ受像機
２０、２２０  ＣＰＵ
３０、２３０  カメラ
３１、２３１  呼び出しスイッチ
４０          映像記録装置
２３２        施錠センサ
２６１        動体センサ
【図１】
2008283575.tif 000003
【図２】
2008283575.tif 000004
【図３】
2008283575.tif 000005
【図４】
2008283575.tif 000006
【図５】
2008283575.tif 000007
【図６】
2008283575.tif 000008